【手続補正書】
【提出日】平成25年6月4日(2013.6.4)
【手続補正１】
【補正対象書類名】明細書
【補正対象項目名】０００４
【補正方法】変更
【補正の内容】
【０００４】
プラズマ処理システム１００は、さらに、高周波（ＲＦ）電源１７０と、誘電体窓１２８上に配置され、ＲＦ電源１７０に電気接続された内側コイル１２６と、ＲＦ電源１７０に電気接続され、内側コイル１２６を取り囲む外側コイル１２４と、を備えてよい。内側コイル１２６および外側コイル１２４は、コイル筐体１３８の内部に配置されてよく、コイル筐体１３８は、チャンバ壁１３２に結合されてよい。ＲＦ電源１７０は、プラズマ１８０を生成および維持するために、内側コイル１２６および外側コイル１２４に通すＲＦ電流を生成しうる。例えば、内側コイル１２６は、（内側コイル１２６付近の）プラズマ１８０の内側部分を主に維持するために第１のＲＦ電流を流してよく、外側コイル１２４は、（外側コイル１２４付近の）プラズマ１８０の外側部分を主に維持するために第２のＲＦ電流を流してよい。
【手続補正２】
【補正対象書類名】明細書
【補正対象項目名】０００５
【補正方法】変更
【補正の内容】
【０００５】
プラズマ処理システム１００は、さらに、内側コイル１２６および外側コイル１２４によって伝導されるＲＦ電流を調節することによってプラズマ１８０の均一性を制御するために、電力分配器１１２を備えてよい。電力分配器１１２は、整合回路網１０２を介してＲＦ電源１７０に電気接続されてよい。電力分配器１１２は、第１のＲＦ電流のアンペア数を調節することによってプラズマ１８０の内側部分の密度を調節するために、ＲＦ電源１７０および内側コイル１２６の間に電気接続された可変コンデンサ１１６を備えてよい。電力分配器１１２は、第２のＲＦ電流のアンペア数を調節することによってプラズマ１８０の外側部分の密度を調節するために、ＲＦ電源１７０および外側コイル１２４の間に電気接続された別の可変コンデンサ１２０を備えてよい。プラズマ１８０の異なる部分に対する別個の調節を可能にすることにより、電力分配器１１２は、プラズマの均一性の制御を容易にする。
【手続補正３】
【補正対象書類名】明細書
【補正対象項目名】００２９
【補正方法】変更
【補正の内容】
【００２９】
電力分配器２０４は、整合回路網２０６を介してＲＦ電源２７０に電気接続されてよい。電力分配器２０４は、コイル２１６によって伝導される電流（例えば、ＲＦ電流）のアンペア数を調節するために、ＲＦ電源２７０とコイル２１６との間に電気接続された並列インダクタ−コンデンサ回路２０８（すなわち並列回路２０８）を備えてよい。コイル２１６の終端は、インピーダンス２３４であってよい。並列回路２０８は、互いに並列に電気接続されたインダクタ２１０および可変コンデンサ２１２を備えてよい。並列回路２０８は、タンク回路の共振効果が、整合回路網２０６とコイル２１６との間（および／または、ＲＦ電源２７０とコイル２１６との間）に広い範囲のインピーダンス値を導入できるように、タンク回路を形成しうる。したがって、電力分配器２０４は、コイル２１６によって伝導される電流のアンペア数と、コイル２１４として示される別のコイルによって伝導される電流のアンペア数との間の比について、広い範囲の比を実現できる。コイル２１４の終端は、インピーダンス２３４であってよい。１または複数の実施形態において、コイル２１４は、コイル２１６を取り囲んでよい。有利なことに、プラズマ処理システム２００は、プラズマ処理システム１００よりも多くの製品歩留まり要件および／またはデバイスフィーチャ要件を満たしうる。
【手続補正４】
【補正対象書類名】明細書
【補正対象項目名】００４８
【補正方法】変更
【補正の内容】
【００４８】
以上、いくつかの実施形態を参照しつつ本発明について説明したが、本発明の範囲内で、代替物、置換物、および、等価物が存在する。また、本発明の方法および装置を実施する他の態様が数多く存在することにも注意されたい。さらに、本発明の実施形態は、別の用途で利用されてもよい。要約書が、便宜上、提供されており、文字数の制限に従って、読み手の便宜のために記載されたもので、特許請求の範囲を限定するために用いるべきではない。したがって、以下に示す特許請求の範囲は、本発明の真の趣旨および範囲内に含まれる代替物、置換物、および、等価物の全てを網羅するものとして解釈される。
本発明は、たとえば、以下のような態様で実現することもできる。
適用例１
少なくともウエハを処理するためにプラズマを生成するプラズマ処理システムであって、
前記プラズマの少なくとも第１の部分を維持するための第１の電流を伝導する第１のコイルと、
前記プラズマの少なくとも第２の部分を維持するための第２の電流を伝導する第２のコイルと、
前記第１の電流および前記第２の電流を供給するための電源であって、前記第１のコイルおよび前記第２のコイルに電気接続されている電源と、
前記第１の電流のアンペア数および前記第２の電流のアンペア数の一方を調節するための第１の並列回路であって、前記電源と前記第１のコイルおよび前記第２のコイルの少なくとも一方との間に電気接続され、少なくとも第１のインダクタと第１の可変コンデンサとを備え、前記第１のインダクタおよび前記第１の可変コンデンサは、互いに並列に電気接続されている、第１の並列回路と、
を備える、プラズマ処理システム。
適用例２
適用例１のプラズマ処理システムであって、前記第１の電流の前記アンペア数および前記第２の電流の前記アンペア数の一方または両方を調節するための多くとも１つの可変コンデンサを備え、前記多くとも１つの可変コンデンサは、前記第１の可変コンデンサである、プラズマ処理システム。
適用例３
適用例１のプラズマ処理システムであって、前記第１の電流の前記アンペア数および前記第２の電流の前記アンペア数の一方または両方を調節するための多くとも１つの並列回路を備え、前記多くとも１つの並列回路は、前記第１の並列回路である、プラズマ処理システム。
適用例４
適用例１のプラズマ処理システムであって、
前記第１の並列回路は、前記第２の電流の前記アンペア数ではなく、前記第１の電流の前記アンペア数を調節するための並列回路であり、
前記第２のコイルは前記第１のコイルを取り囲んでいる、プラズマ処理システム。
適用例５
適用例４のプラズマ処理システムであって、さらに、前記第２の電流の前記アンペア数を下げるための第２のインダクタを備え、前記第２のインダクタは、前記電源と前記第２のコイルとの間に電気接続され、前記第２のインダクタおよび前記第１の並列回路は、互いに並列に電気接続されている、プラズマ処理システム。
適用例６
適用例１のプラズマ処理システムであって、
前記第１の並列回路は、前記第１の電流の前記アンペア数ではなく、前記第２の電流の前記アンペア数を調節するための並列回路であり、
前記第２のコイルは前記第１のコイルを取り囲んでいる、プラズマ処理システム。
適用例７
適用例６のプラズマ処理システムであって、さらに、前記第１の電流の前記アンペア数を下げるための第２のインダクタを備え、前記第２のインダクタは、前記電源と前記第１のコイルとの間に電気接続されている、プラズマ処理システム。
適用例８
適用例１のプラズマ処理システムであって、さらに、前記第１の並列回路を冷却するための冷却器を備える、プラズマ処理システム。
適用例９
適用例１のプラズマ処理システムであって、さらに、
前記プラズマの少なくとも第３の部分を維持するための第３の電流を伝導する第３のコイルであって、前記電源は前記第３の電流を供給するようにさらに構成されている、第３のコイルと、
前記第２の電流の前記アンペア数を調節するための第２の並列回路であって、前記電源と前記第２のコイルとの間に電気接続され、少なくとも第２のインダクタと第２の可変コンデンサとを備え、前記第２のインダクタおよび前記第２の可変コンデンサは、互いに並列に電気接続されている、第２の並列回路と、
を備え、
前記第１の並列回路は、前記第１の電流の前記アンペア数を調節するために前記電源と前記第１のコイルとの間に電気接続されている、プラズマ処理システム。
適用例１０
適用例９のプラズマ処理システムであって、
前記第３のコイルは前記第２のコイルを取り囲んでおり、
前記第２のコイルは前記第１のコイルを取り囲んでいる、プラズマ処理システム。
適用例１１
適用例９のプラズマ処理システムであって、さらに、前記第３の電流のアンペア数を下げるための第３のインダクタを備える、プラズマ処理システム。
適用例１２
適用例１１のプラズマ処理システムであって、
前記第３のコイルは前記第２のコイルを取り囲んでおり、
前記第２のコイルは前記第１のコイルを取り囲んでいる、プラズマ処理システム。
適用例１３
適用例１１のプラズマ処理システムであって、
前記第３のコイルは前記第１のコイルを取り囲んでおり、
前記第２のコイルは前記第３のコイルを取り囲んでいる、プラズマ処理システム。
適用例１４
適用例１１のプラズマ処理システムであって、
前記第１のコイルは前記第２のコイルを取り囲んでおり、
前記第２のコイルは前記第３のコイルを取り囲んでいる、プラズマ処理システム。
適用例１５
適用例１のプラズマ処理システムであって、
前記プラズマの少なくとも複数の部分を維持するための複数の電流を伝導する複数のコイルであって、前記電源は前記複数の電流を供給するように構成され、前記複数のコイルは少なくとも前記第１のコイルおよび前記第２のコイルを含む、複数のコイルと、
前記複数の電流のアンペア数を調節するための複数の並列インダクタ−コンデンサ回路であって、前記並列インダクタ−コンデンサ回路の数は、前記コイルの数よりも１だけ少なく、少なくとも３である、プラズマ処理システム。
適用例１６
適用例１５のプラズマ処理システムであって、さらに、第３の電流のアンペア数を下げるための第２のインダクタを備え、前記第２のインダクタおよび前記第１のインダクタは互いに並列に電気接続され、前記第３の電流は第３のコイルによって伝導されるよう構成され、前記第２のインダクタは前記電源と前記第３のコイルとの間に電気接続され、前記電源と前記第３のコイルとの間には、前記並列インダクタ−コンデンサ回路は電気接続されない、プラズマ処理システム。
適用例１７
プラズマ処理システムにおいて第２の電流のアンペア数に対する第１の電流のアンペア数の比を調節するための電力分配器であって、前記プラズマ処理システムは、プラズマの少なくとも第１の部分を維持するための前記第１の電流を伝導する第１のコイルと、前記プラズマの少なくとも第２の部分を維持するための前記第２の電流を伝導する第２のコイルと、前記第１の電流および前記第２の電流を供給するための電源とを備え、
前記電力分配器は、
前記電源と前記第１のコイルとの間に電気接続された第１のインダクタと、
前記電源と前記第１のコイルとの間に電気接続された第１の可変コンデンサと、
を備え、
前記第１のインダクタおよび前記第１の可変コンデンサは、並列に電気接続されて、第１の並列インダクタ−コンデンサ回路を形成する、電力分配器。
適用例１８
適用例１７の電力分配器であって、さらに、前記第２の電流の前記アンペア数を下げるための第２のインダクタを備え、前記第２のインダクタは、前記電源と前記第２のコイルとの間に電気接続され、前記第２のインダクタおよび前記第１のインダクタは、互いに並列に電気接続されている、電力分配器。
適用例１９
適用例１７の電力分配器であって、さらに、第２の並列インダクタ−コンデンサ回路を備え、前記第２の並列インダクタ−コンデンサ回路は、第３のコイルによって伝導される第３の電流のアンペア数を調節するために前記電源と前記第３のコイルとの間に電気接続され、第２のインダクタおよび第２の可変コンデンサを備え、前記第２のインダクタおよび前記第２の可変コンデンサは互いに並列に電気接続され、前記プラズマ処理システムはさらに前記第３のコイルを備える、電力分配器。
適用例２０
適用例１９の電力分配器であって、さらに、前記第２の電流の前記アンペア数を下げるための第３のインダクタを備え、前記第３のインダクタは、前記電源と前記第２のコイルとの間に電気接続され、前記第３のインダクタおよび前記第１のインダクタは、互いに並列に電気接続されている、電力分配器。